(57)【要約】      （修正有）【課題】特殊な外形を有するとともに、２種以上の材料の物質特性を持つことができるマスク耳掛けバンドを提供する。【解決手段】マスク耳掛けバンドは本体１を含み、該本体１は第１糸１１、第２糸１２及び弾性糸１３を含む。該第１糸１１と該第２糸１２との色は異なり、該第１糸１１、該第２糸１２及び該弾性糸１３は丸編機２で加工して該本体１に編成する。該丸編機２で編成した後、該本体１は、該第１糸１１及び該第２糸１２が備える異なる色を有するようになり、それにより顕著な認識度を高め、他の生産者により製造されたマスクと区別するために用いられる。【選択図】図２
0003232757.tif 000002
【実用新案登録請求の範囲】
【請求項１】
マスク耳掛けバンドであって
本体を含み、
前記本体は第１糸、第２糸及び弾性糸を含み、
前記第１糸と前記第２糸の色が異なり、
前記本体は、前記第１糸、前記第２糸及び前記弾性糸を丸編機で編成してなる、
マスク耳掛けバンド。
【請求項２】
前記第１糸及び前記第２糸からなる撚りユニットを有し、前記撚りユニットと前記弾性糸とを丸編機で編成してなる、請求項１に記載のマスク耳掛けバンド
【請求項３】
前記本体の両端はマスク本体に接続される、請求項１に記載のマスク耳掛けバンド。
【請求項４】
前記第１糸、前記第２糸及び前記弾性糸が非規則的な編み配列をなしている、請求項１に記載のマスク耳掛けバンド。
【請求項５】
前記本体の両端はマスク本体に接続され、前記第１糸、前記第２糸及び前記弾性糸は非規則的な編み配列をなしている、請求項２に記載のマスク耳掛けバンド。
【考案の詳細な説明】
【技術分野】
【０００１】
本考案はマスク耳掛けバンドに関する。
【背景技術】
【０００２】
新型コロナウイルス感染症やインフルエンザなどのエピデミックが世界中に蔓延し続けるに伴い、各国においてマスク着用の習慣が多くなり、相対的にマスクに対する需要量も増加し、大量の資源と人員がマスクの生産や研究開発に投入されている。
マスク耳掛けバンドは、少なくとも１つの糸と弾性糸を用いて編成するものであるので、耳に掛けるために一定の構造強度及び弾性復元力を有する。しかし、従来のマスク耳掛けバンドの色は糸の色に依存し、または耳掛けバンドの編成が完了した後に染色されるため、外形的に非常に単調であり、特定の生産者の商品を市販されている他のブランドのマスクと区別できず、この点が、改善しなければならない欠点である。
【０００３】
上記の課題を解決するために、新規で進歩性を有するマスク耳掛けバンドを提供する必要がある。
【考案の概要】
【考案が解決しようとする課題】
【０００４】
本考案の主な目的は、特殊な外形を有するとともに、２種以上の材料の物質特性を持つことができるマスク耳掛けバンドを提供することである。
【課題を解決するための手段】
【０００５】
上記の目的を達成するために、本考案は、本体を含み、該本体は第１糸、第２糸及び弾性糸を含み、該第１糸と該第２糸の色が異なり、該第１糸、該第２糸及び該弾性糸は丸編機で加工して該本体に編成するマスク耳掛けバンドを提供する。
【図面の簡単な説明】
【０００６】
【図１】本考案の好ましい実施例の製造方法の模式図である。
【図２】本考案の好ましい実施例の製造方法の模式図である。
【図３】本考案の好ましい実施例の構造の拡大図である。
【図４】本考案の好ましい実施例の組み立ての模式図である。
【考案を実施するための形態】
【０００７】
以下、実施例にて本考案の可能な実施形態を説明するが、これは本考案の特許範囲を制限するものではない。
【０００８】
図１〜図４には本考案の好ましい実施例が示されている。本考案のマスク耳掛けバンドは本体１を含み、該本体１は第１糸１１、第２糸１２及び弾性糸１３を含む。該第１糸１１と該第２糸１２との色は異なり、該第１糸１１、該第２糸１２及び該弾性糸１３は丸編機２で加工して該本体１に編成する。
【０００９】
該丸編機２で編成した後、該本体１は、該第１糸１１及び該第２糸１２が備える異なる色を有するようになり、それにより顕著な認識度を高め、他の生産者により製造されたマスクと区別するために用いられる。本考案の該第１糸１１と該第２糸１２は、該本体１が複合材料の構造特性を有するために、異なる材質であってもよい。
本実施例では、該第１糸１１、該第２糸１２及び該弾性糸１３は、該本体１の外観が比較的特異な不規則模様となるように、非規則的な編み配列をなしており、別の実施例では、規則的な編み配列であってもよい。
【００１０】
まず、該第１糸１１及び該第２糸１２を撚りユニット１４に撚り合わせた後、該撚りユニット１４と該弾性糸１３とを丸編機２で加工して編成してなる。よって、比較的容易に編成することができる。
【００１１】
該本体１の両端はマスク本体９に接続され、このようにして該マスク本体９は、該本体１を介して人の口や鼻に覆うことができる。
【００１２】
本考案は、第１糸１１と、第１糸１１との色が異なる第２糸１２と、弾性糸１３とを準備するステップと、１つのシリンダ２１及び複数のかぎ針２２が設けられ、該シリンダ２１が軸方向の周りに回動し、これらのかぎ針２２が該軸方向に沿って該シリンダ２１に対して順次摺動する丸編機２を準備するステップと、該第１糸１１、該第２糸１２及び該弾性糸１３を該丸編機２に導入し、該シリンダ２１が回動する時、これらのかぎ針２２が該軸方向に沿って順次摺動して該第１糸１１、該第２糸１２及び該弾性糸１３を該シリンダ２１に引っ掛けて編成するステップとを含む、マスク耳掛けバンドの製造方法をさらに提供する。
【００１３】
好ましくは、これらかぎ針２２の数は少なくとも７本であり、本実施例では７本である。該本体１の該第１糸１１、該第２糸１２及び該弾性糸１３の間に微細なメッシュを持たせることにより、構造強度を高めることができる。
【００１４】
該シリンダ２１の外周壁には複数の摺動溝２３が径方向に凹設され、これらのかぎ針２２はそれぞれこれらの摺動溝２３に摺動可能に設けられる。これらのかぎ針２２は該第１糸１１、該第２糸１２及び該弾性糸１３を該丸編機２に順次導入して編成する。
【００１５】
好ましくは、本実施例では、撚り機構３をさらに準備する。該撚り機構３は、まず、該第１糸１１及び該第２糸１２を撚り合わせて撚りユニット１４とし、次に、該撚りユニット１４と該弾性糸１３を該丸編機２に導入して編成する。このようにして、該丸編機２は編成を順調に行うことができる。
【００１６】
本実施例では、該丸編機２は、非規則的な編み配列をもって該第１糸１１、該第２糸１２及び該弾性糸１３を編成する。しかし、別の実施例では、規則的な編み配列をもって該第１糸１１、該第２糸１２及び該弾性糸１３を編成してもよい。
【００１７】
以上のように、本考案のマスク耳掛けバンドは、該丸編機で編成した後、該本体が、同時に該第１糸及び該第２糸の異なる色を有するようになり、これによって、顕著な認識度を高め、他の生産者により製造されたマスクと区別することができる。また、本考案の該第１糸と該第２糸は、異なる材質であってもよいので、該本体が複合材料の構造特性を有する。
【符号の説明】
【００１８】
１  本体
１１  第１糸
１２  第２糸
１３  弾性糸
１４  撚りユニット
２  丸編機
２１  シリンダ
２２  かぎ針
２３  摺動溝
３  撚り機構
９  マスク本体
【図１】
0003232757.tif 000003
【図２】
0003232757.tif 000004
【図３】
0003232757.tif 000005
【図４】
0003232757.tif 000006